(57)【特許請求の範囲】
【請求項１】
運搬用コンテナで構成された水路構造物を備えるとともに、
前記水路構造物内の所定の位置に、支軸を介して水路構造物の長さ方向に沿って発電用水車を首振り可能に取り付けたことを特徴とする水路一体型水力発電所。
【請求項２】
前記水路構造物は、前記発電用水車とともに発電用制御機器をも備えたことを特徴とする請求項１に記載の水路一体型水力発電所。
【請求項３】
前記発電用制御機器が、前記発電用水車の上流側ないし下流側において、前記水路構造物上に設置された管理橋に搭載されていることを特徴とする請求項１または２に記載の水路一体型水力発電所。
【発明の詳細な説明】
【技術分野】
【０００１】
この発明は水力発電所の建設において、機動性・緊急性・簡易性・安定性等が強く求められるケースで現地作業を極力簡素化し、簡易かつ短期の現地作業で水力発電所を設置できるようにした水路一体型水力発電所に関するものである。
【背景技術】
【０００２】
簡易かつ短期の現地作業で水力発電所を設置できる構造としては、水路構造物と水力発電施設を構成する電気・機械・制御等の各設備をできるだけ一体化した上で工場出荷し、必要な性能試験についてもできるだけ工場内で済ませておくことが考えられる。
そうした場合、現場に到着後の作業は、建設予定位置に運んでの一体構造物の固定作業が中心であり、その後の上下流の水路建設は、土羽や土のう等により簡易に行うことができる。したがって、極めて短期で水力発電所を設置することが可能となる。
【０００３】
このような簡易型の水力発電設備に関する先行技術としては、実開昭６２−２００７２８号公報（特許文献１参照）に、水力発電用水路を形成するように上流側から下流側に向かって順次接続された受水槽、沈砂水槽、水車発電機および排水槽が一体型に配談されてなり、沈砂水槽内の水路の途中に少なくとも1個以上のバツフルプレートを有することを特徴とする沈砂水槽を備えたパッケージ型水力発電プラントが提案されている。
【０００４】
しなしながら前記先行技術においては、とりわけ沈砂に重点が置かれているためパッケージ型水力発電プラント内で水路が屈曲させられ、構造が複雑で設置やその始動に手間がかかるという問題があり、また基本的に船（バージ）によってしか運搬できないという問題点があった。
【先行技術文献】
【特許文献】
【０００５】
【特許文献１】実開昭６２−２００７２８号公報
【発明の概要】
【発明が解決しようとする課題】
【０００６】
したがってこの発明は、機械設備・電気設備・土木工事等、様々な工種が発生する水力発電施設の建設に対して、発展途上国への輸出用・国内での災害時電源対策用・河川工事の仮設用など、機動性・緊急性・簡易性・安定性等が強く求められる状況下で、前記した各工種が確実に短期間の内に完了し、簡易迅速に設置できる水路一体型水力発電所を提供しようとするものである。
【課題を解決するための手段】
【０００７】
すなわちこの発明の水路一体型水力発電所は、運搬用コンテナで構成された水路構造物を備えるとともに、
前記水路構造物内の所定の位置に、支軸を介して水路構造物の長さ方向に沿って発電用水車を首振り可能に取り付けたことを特徴とするものである。
そして、あらかじめ工場等で上記一体構造体を製作しておき、これを現場に持ち込んで簡易に設置することができる。
【０００８】
この発明の水路一体型水力発電所においては、前記水路構造物は、前記発電用水車とともに発電用制御機器をも備えたことをも特徴とするものである。
もちろん、あらかじめ工場等で上記発電用制御機器をも組み込んでおき、これを現場に持ち込んで簡易に設置することができる。
【０００９】
この発明の水路一体型水力発電所においては、前記発電用制御機器が、前記発電用水車の上流側ないし下流側において、前記水路構造物上に設置された管理橋に搭載されていることをも特徴とするものである。
【００１０】
この発明の水路一体型水力発電所においては、前記水路構造物を、運搬用コンテナあるいはそれに類するもので構成することも可能である。
【発明の効果】
【００１１】
この発明によれば、機械設備・電気設備・土木工事等、様々な工種が発生する水力発電施設の建設に対して、発展途上国への輸出用・国内での災害時電源対策用・河川工事の仮設用など、機動性・緊急性・簡易性・安定性等が強く求められる状況下で、前記した各工種が確実に短期間の内に完了し、簡易迅速に設置できる水路一体型水力発電所を提供することが可能となった。
【図面の簡単な説明】
【００１２】
【図１】この発明の水路一体型水力発電所の原理を示す説明図である。
【図２】この発明の水路一体型水力発電所の１実施例を示す斜視図である。
【図３】この発明の水路一体型水力発電所において、水路構造物に運搬用コンテナを流用した例を示す斜視図である。
【発明を実施するための形態】
【００１３】
図１はこの発明の水路一体型水力発電所の原理を示す説明図、図２はこの発明の水路一体型水力発電所の１実施例を示す斜視図である。
図１はその設置状況を説明するためのものであり、現地の水路内に前記水路構造物１１を設置し、それぞれ上流側の端部には水流を集めるハ字状の集水ガイド壁１０ａを設置し、また下流側の端部には利用後の水流を放流するハ字状の排水ガイド壁１０ｂを設置してある。
【００１４】
そして図１および図２において、１１は水路構造物であり、該水路構造物１１上の所定の位置には、支軸２１を介して水路構造物１１の長さ方向に沿って発電用水車１２が首振り可能に取り付けられている。
前記発電用水車１２は、前記支軸２１に固定されたアーム２２の先端に取り付けた回転軸２３と、該回転軸２３に放射状に取り付けた複数の円弧状の羽根２４とで構成されている。もちろん、水路部分内の水位が危険水位に達した時には前記発電用水車１２を水路部分上に引き上げることができるようにし、発電しないときにも同様に前記発電用水車１２を水路部分上に引き上げることができるようにすることが望ましい。
【００１５】
前記水路構造物１１上の発電用水車１２の上流側には、発電用制御機器１３が設置されている。すなわち、前記発電用制御機器１３は、前記発電用水車１２の上流側において、前記水路構造物１１の上に設置された管理橋１４に搭載してある。
したがって、この発明の水路一体型水力発電所においては、前記水路構造物１１内にほぼすべての機器が収納されており、機械設備・電気設備・土木工事等、様々な工種が発生する水力発電施設の建設を、現地の水力発電施設の設置位置およびその周辺を土羽や土のう等により整備するだけで簡単に実施することができる。
【００１６】
なお、水路構造物が小規模なものにあっては水路をコンクリート製とすることが可能であるが、大きなものは重量がかさむため鋼製の水路を用い、さらに輸出用としては運搬用コンテナそのものを水路に流用することも可能である。
図３に、水路構造物に運搬用コンテナを流用した例を示す。
【産業上の利用可能性】
【００１７】
この発明は、機械設備・電気設備・土木工事等、様々な工種が発生する水力発電施設の建設に対して、発展途上国への輸出用・国内での災害時電源対策用・河川工事の仮設用など、機動性・緊急性・簡易性・安定性等が強く求められる状況下で、前記した各工種が確実に短期間の内に完了し、簡易迅速に設置できる水路一体型水力発電所を提供することができる。
また、発展途上国への輸出用・国内での災害時電源対策用・河川工事の仮設用以外の用途にも適用できることはいうまでもない。
【符号の説明】
【００１８】
１０ａ  集水ガイド壁
１０ｂ  排水ガイド壁
１１  水路構造物
１２  発電用水車
１３  発電用制御機器
１４  管理橋
２１  支軸
２２  アーム
２３  回転軸
２４  羽根
【要約】
【課題】
機械設備・電気設備・土木工事等、様々な工種が発生する水力発電施設の建設に対して、発展途上国への輸出用・国内での災害時電源対策用・河川工事の仮設用など、機動性・緊急性・簡易性・安定性等が強く求められる状況下で、前記した各工種が確実に短期間の内に完了し、簡易迅速に設置できる水路一体型水力発電所を提供しようとするものである。
【解決手段】
水路構造物と、
前記水路構造物で構成される水路部分内の所定の位置に取り付けられた発電用水車と、
前記水路構造物で構成される水路部分上に設置された管理橋上に発電用制御機器を備えたことを特徴とする水路一体型水力発電所。
【選択図】図１【図１】
0005599926.tif 000002
【図２】
0005599926.tif 000003
【図３】
0005599926.tif 000004